(57)【要約】      （修正有）【課題】使い心地（使用感）と反発性を両立した一定品質のエクササイズクッションを提供する。【解決手段】エクササイズクッションは、低反発な上段層（第１の層１）と、高反発な中段層（第２の層２）と、中反発な下段層（第３の層３）とを固定化部材によって一体的に固定化した。【選択図】図１
0003233932.tif 000002
【実用新案登録請求の範囲】
【請求項１】
低反発な上段層（第１の層）と、高反発な中段層（第２の層）と、中反発な下段層（第３の層）とが固定化部材によって一体的に固定化されたことを特徴とするエクササイズクッション。
【請求項２】
前記第２の層と前記第３の層は、弾性繊維のループ状構造体であることを特徴とする請求項１に記載のエクササイズクッション。
【請求項３】
前記第２の層の上下厚さ＜前記第３の層の上下厚さ、であることを特徴とする請求項１または２に記載のエクササイズクッション。
【請求項４】
前記第１の層の上下厚さ＜前記第２の層の上下厚さ＜前記第３の層の上下厚さ、であることを特徴とする請求項１〜３のいずれか１項に記載のエクササイズクッション。
【請求項５】
前記第１の層の上下厚さと前記第２の層の上下厚さと前記第３の層の上下厚さの比率が概ね２対３対８であることを特徴とする請求項４に記載のエクササイズクッション。
【考案の詳細な説明】
【技術分野】
【０００１】
本考案は運動用のクッション（エクササイズクッション）に関するものである。
【背景技術】
【０００２】
近年、様々な自宅用の運動器具が開発されてきている。そのような中、筋力強化、バランス感覚の強化、姿勢矯正などを目的としたクッションがある。これらは、クッションの反発性などの機能により対象とする身体部位へ作用させ、目的を達成しようとするものである。
【０００３】
従来技術として具体的には、人体臀部の下に敷く弾性クッションと、該弾性クッションの表面を被覆する着脱可能なクッションカバーとを備え、前記クッションカバーの少なくとも幅方向中央部に軟質棒材を前後方向に沿って設けたことを特徴とする骨盤底筋強化トレーニング用具がある（特許文献１）。
【０００４】
また、円弧状に形成された一対のコアボードが屈曲自在に係合されたコア本体と、コアボート同士を屈曲させたときにその力に抗するように設けられた弾性部材と、各コアボードを収納する一対のクッション袋と、コアボードと共にクッション袋に挿入されるインナークッションと、コアボードとインナークッションとをクッション袋内に挿入した後、そのクッション袋を覆うクッションカバーとを備えたことを特徴とするエクササイズクッションがある（特許文献２）。
【０００５】
特許文献１に記載の発明は、前後に伸びる軟質棒材の締め付けによって骨盤底筋および体幹を鍛えるというものである。当該発明は、飛び跳ね運動による身体強化を目的とする本考案とは目的が異なるものであり、また、クッション材のみで身体強化に係る刺激を生み出す本発明とは技術構成においても異なるものである。
【０００６】
また、特許文献２に記載の考案は、ソファーに置いた状態でのエクササイズを想定するものである点で単独使用を想定した本考案とは異なり、また、３層構造からなる本考案とは技術構成においても異なるものである。
【先行技術文献】
【特許文献】
【０００７】
【特許文献１】特開２０２０−８１８１２号公報
【特許文献２】実用新案登録第３１８３９９７号公報
【考案の概要】
【考案が解決しようとする課題】
【０００８】
本考案の課題は、使い心地（使用感）と反発性を両立した高品質のエクササイズクッションを提供することである。
【課題を解決するための手段】
【０００９】
上記課題を解決するための第１の考案は、低反発な上段層（第１の層）と、高反発な中段層（第２の層）と、中反発な下段層（第３の層）とが固定化部材によって一体的に固定化されたことを特徴とするエクササイズクッションである。また、第２の考案は、前記第２の層と前記第３の層は、弾性繊維のループ状構造体であることを特徴とする第１の考案のエクササイズクッションである。また、第３の考案は、前記第２の層の上下厚さ＜前記第３の層の上下厚さ、であることを特徴とする第１又は第２の考案のエクササイズクッションである。また、第４の考案は、前記第１の層の上下厚さ＜前記第２の層の上下厚さ＜前記第３の層の上下厚さ、であることを特徴とする第１〜第３の考案のいずれかのエクササイズクッションである。また、また、第５の考案は、前記第１の層の上下厚さと前記第２の層の上下厚さと前記第３の層の上下厚さの比率が概ね２対３対８であることを特徴とする第４の考案のエクササイズクッションである。
【考案の効果】
【００１０】
本考案は、低反発な第１の層が使用感に、高反発な第２の層と中反発な第３の層の組合せが反発力に寄与するため、使用感と反発性を両立する効果が期待できる。また、第２の層と第３の層の組合せは反発力の制御を容易にし、安定した品質のものとする効果が期待できる。
【図面の簡単な説明】
【００１１】
【図１】図１は第１から第３の層の構成図である。
【図２】図２は固定化前（左側）と外部カバーによる固定化後（右側）の外観である。
【図３】図３は第１の層の外観写真である。
【図４】図４は第１の層の側面視断面構造の例である。
【図５】図５は第２の層の外観写真である。
【図６】図６は第１の層の弾性イメージである。
【図７】図７は第２の層の弾性イメージである。
【図８】図８は第１から第３の層が積層された状態の写真である。
【考案を実施するための形態】
【００１２】
本考案の実施の形態を以下に説明する。
【実施例１】
【００１３】
図１は、３層のクッションからなる本考案の構成図である。本考案に係るクッションの構成は、上から低反発な第１の層１、高反発な第２の層２，中反発な第３の層３の３層構造である。低反発、高反発、中反発とは、各層の反発性の相対的な表現である（詳細は後述）。
【００１４】
図２は、３層クッションを固定化する前（左側）と固定化後（右側）の外観イメージである。ここで、固定化とは、トレーニーが使用した時に各クッションが分離せず、３層構造が維持されるように固定することを意味する。具体的には、図２のように一般的なクッションカバーで積層構造が崩れがないように包み込むものが挙げられる。その他、各層が接着剤によって接着されたものでもよいし、紐やテープなどによって結びつけられたものでもよい。
【００１５】
図３は、第１の層の外観写真である。本実施例における第１の層は上下方向の衝撃を吸収する低反発ゲルシート（K＆H  Tｅｃｎｏｌｏｇｙ社  ＣＯＯＬＳＨＩＯＮ  Ｃｕｓｈｉｏｎ  Ｐａｄ）である。第１の層１は、円錐台の窪みが所定間隔で設けられている。図４は、第１の層１の側面視断面の例である。第１の層１は、円錐台状（図４では円柱状）の窪みが上面と底面に形成され、それぞれの窪みの底部同士が互いに接する程度近接する上下対称な構造である。当該構造は、上下方向の衝撃を吸収する。
【００１６】
図５は、第２の層２の外観写真である。本実施例における第２の層２は、熱可塑性ポリエステル系エラストマーの繊維状三次元スプリング構造体（東洋紡株式会社ブレスエアー（登録商標））である。第２の層２は、弾性繊維がループ状に形成され、所定の空隙を有する構造である。第１の層１と比較すると、第２の層２は外部から衝撃に対して反発力が大きい。
【００１７】
第３の層３は、基本的な構造と機能は第２の層と同じである（図省略）。すなわち、第３の層３も弾性繊維がループ状に形成された（第１の層に比べて）高反発な構造体である。第３の層３と第２の層２との違いは、外部からの衝撃に対する反発力にある。本実施例では、密度の差によって反発力に差を生じさせている（第２の層２が４５ｋｇ／ｍ３、第３の層３が４０ｋｇ／ｍ３）。第３の層３の反発力は第２の層２の反発力よりも小さい。
【００１８】
ここで、本考案における低反発、高反発、中反発とは図６、図７から次のように説明される。図６は、物体が第１の層１（単体）に落下したときの弾性イメージである。落下物が第１の層１に接触すると、接触した上下対称な窪み構造部分が凹み、衝撃を吸収する。落下物の衝撃は、接触部分によって吸収されるため、反発力は弱まる（落下物は図６の右図の状態でバウンドしない）。これが低反発である。図７は、物体が第２の層２（単体）に落下したときの弾性イメージである。落下物が第２の層２に接触すると、広範囲に衝撃が伝わることで強い反発力が生じ（図７の右図）、落下物はバウンドする（バウンド後の図は省略）。これが高反発である。第３の層３については、反発力が第２の層２より弱いが、第２の層２と場合と考え方は同様である。第１の層１よりも反発力が大きく、第２の層２よりも反発力が小さいため中反発である。
【００１９】
図８は、３層が積層された状態の写真である。この状態にチャック開閉式の布製カバーが取り付けられ、３層が固定化されたものが、本考案に係るエクササイズクッションである。カバーを含む全体の大きさは５００ｍｍ×５００ｍｍ×１４０ｍｍ（縦×横×高さ）である。各層の高さは、第１の層１が２０ｍｍ、第２の層２が３０ｍｍ、第３の層３が８０ｍｍである。この３層構造のエクササイズクッションとなるに至った評価は以下の通りである。
【００２０】
＜官能評価＞
考案者は、各クッション材についてそれぞれ官能評価を行った。当該評価は、トレーニーがそれぞれの層の上に乗ったときの心地よさを評価するものである。結果は、低反発クッション材＞高反発および中反発クッション材、であり、低反発クッション材が最も良い評価だった。これにより、低反発クッション材が上段の層になった。
【００２１】
続いて、考案者は、下層のクッション材について官能評価を行った。当該評価は、上記同様にトレーニーが各組合せのクッション材の上に乗ったときの心地よさを評価するものである。結果は、高反発クッション材と中反発クッション材が順に配置された場合が最も良い評価だった。これにより、上から低反発、高反発、中反発のクッション材という配置になった。
【００２２】
＜反発力評価＞
次に、考案者は、クッション材の反発力の評価を行った。当該評価は、所定厚さとなるよう、異なる厚さのクッション材（様々な厚さ比のクッション材の組合せ）の跳ね返りの高さを評価するものである。エクササイズクッションの想定仕様から１２０〜１５０ｍｍとなるように厚さの異なるクッション材が用いられた。結果は、第２の層が３０ｍｍ、第３の層が８０ｍｍの場合に所望の反発力となった。以上に基づき、低反発な第１の層、高反発な第２の層、中反発な第３の層の組合せとなった。
【００２３】
＜考察＞
本実施例によると、低反発層は使用感に寄与し、高反発層と中反発層は反発力に寄与することが示唆された。さらに、これら３層の組合せは使用感に寄与し、厚さ比率は反発力に寄与することが示唆された。
【００２４】
本実施例では、第１の層に上下対称な円錐台状の窪みが所定間隔で設けられた低反発層が、第２、第３の層に弾性繊維がループ状に形成された高反発層、中反発層が用いられた。ただし、上記示唆から各層の構造は実施例で使用されたクッション材の構造、成分に限定される必要はない。例えば、第１の層がウレタン樹脂による低反発素材、第２、第３の層が金属バネによる高反発素材でもよい。
【００２５】
第２、第３の層は、それぞれの厚さが３０ｍｍと８０ｍｍのときに所望の反発力が得られた。第２の層の厚さが小さいと反発力は弱く、逆に厚さが大きくなると反発力が大きくなることがわかっている。ここで、第３の層には第２の層の反発力を緩衝（微調整）する役割を果たしていると考えられる。第３の層がないと、第２の層の厚さの変動幅が反発力に大きく影響する可能性がある。すなわち、第２の層よりも反発力が小さい（さらに第２の層より上下に厚みのある）第３の層があることで反発力の調整が容易になる（エクササイズクッションの品質が安定化する）。
【産業上の利用可能性】
【００２６】
本考案は、様々な場所での飛び跳ね運動に適用できるものである。また、反発力を利用した身体各部位の筋力強化、バランス強化、ストレッチ運動にも適用できるものである。また、幼児やペットの遊具にも適用できるものである。
【符号の説明】
【００２７】
１  第１の層    
２  第２の層    
３  第３の層  
【図１】
0003233932.tif 000003
【図２】
0003233932.tif 000004
【図３】
0003233932.tif 000005
【図４】
0003233932.tif 000006
【図５】
0003233932.tif 000007
【図６】
0003233932.tif 000008
【図７】
0003233932.tif 000009
【図８】
0003233932.tif 000010